(57)【要約】      （修正有）【課題】ネットワークに接続されているか否かに依らず、サービスへの登録がなされていない場合に、サービスの宣伝情報を容易に提供し得る情報処理装置を実現する。【解決手段】端末装置が、サービス登録時に、ニックネームを送信する際、このニックネームをＲＯＭ１３またはＨＤＤ２１に記憶しておくようにしたことにより、サービス登録されているか否かを、このニックネームがＲＯＭ１３またはＨＤＤ２１に記憶されているか否かで判断することができ、またサービスの宣伝情報となるデモを、予めＲＯＭ１３またはＨＤＤ２１に記憶しておくようにしたことにより、端末装置がネットワーク３０に接続されているか否かに依らず、端末装置単体でサービスの宣伝情報を提供することができ、かくしてネットワーク３０に接続されているか否かに依らず、サービス登録されていない場合に、ユーザに対して、サービスの宣伝情報を容易に提供することができる。【選択図】図９
2006221258.tif 000002
【特許請求の範囲】
【請求項１】
ユーザを識別するためのユーザ識別情報及びパスワードと、情報処理装置を識別するための装置識別情報とを、当該情報処理装置を管理する管理装置に送信する送信手段と、
上記ユーザ識別情報、上記パスワード、及び上記装置識別情報が上記管理装置において互いに関連付けられて登録されたことを示す登録完了情報を受信する受信手段と、
少なくとも上記装置識別情報を送信する際に、上記装置識別情報を記憶する装置識別情報記憶手段と、
上記管理装置に関連するサービスの宣伝情報を記憶する宣伝情報記憶手段と、
上記装置識別情報記憶手段に上記装置識別情報が記憶されていなければ、上記宣伝情報記憶手段に記憶されている上記宣伝情報を再生する再生手段と
を具えることを特徴とする情報処理装置。
【請求項２】
上記再生手段は、
上記装置識別情報記憶手段に上記装置識別情報が記憶されていても、上記情報処理装置がネットワークに接続されていなければ、上記宣伝情報記憶手段に記憶されている上記宣伝情報を再生する
ことを特徴とする請求項１に記載の情報処理装置。
【請求項３】
上記再生手段は、
上記情報処理装置がネットワークに接続されていれば、上記宣伝情報を当該ネットワークを介して外部から取得して再生する
ことを特徴とする請求項１に記載の情報処理装置。
【請求項４】
上記再生手段は、
上記装置識別情報記憶手段に上記装置識別情報が記憶されておらず、かつ外部から上記宣伝情報の再生を指示する入力があれば、上記宣伝情報記憶手段に記憶されている上記宣伝情報を再生する
ことを特徴とする請求項１に記載の情報処理装置。
【請求項５】
上記再生手段は、
上記装置識別情報記憶手段に上記装置識別情報が記憶されておらず、かつ外部から上記宣伝情報の再生を指示する入力がなければ、上記ユーザ識別情報、上記パスワード、及び上記装置識別情報を上記管理装置に登録させるための登録画面を出力する
ことを特徴とする請求項４に記載の情報処理装置。
【請求項６】
上記再生手段は、
上記宣伝情報の再生中に、上記ユーザ識別情報、上記パスワード、及び上記装置識別情報を上記管理装置に登録させるための登録画面を出力する
ことを特徴とする請求項１に記載の情報処理装置。
【請求項７】
上記再生手段は、
上記宣伝情報の再生終了後、上記ユーザ識別情報、上記パスワード、及び上記装置識別情報を上記管理装置に登録させるための登録画面を出力する
ことを特徴とする請求項１に記載の情報処理装置。
【請求項８】
ユーザを識別するためのユーザ識別情報及びパスワードと、情報処理装置を識別するための装置識別情報とを、当該情報処理装置を管理する管理装置に送信する送信ステップと、
上記ユーザ識別情報、上記パスワード、及び上記装置識別情報が上記管理装置において互いに関連付けられて登録されたことを示す登録完了情報を受信する受信ステップと、
上記送信ステップで少なくとも上記装置識別情報を送信する際に、上記装置識別情報を装置識別情報記憶手段に記憶する装置識別情報記憶ステップと、
上記装置識別情報記憶手段に上記装置識別情報が記憶されていない場合に、宣伝情報記憶手段に記憶されている、上記管理装置に関連するサービスの宣伝情報を再生する再生ステップと
を具えることを特徴とする情報処理方法。
【請求項９】
情報処理装置に対して、
ユーザを識別するためのユーザ識別情報及びパスワードと、情報処理装置を識別するための装置識別情報とを、当該情報処理装置を管理する管理装置に送信する送信ステップと、
上記ユーザ識別情報、上記パスワード、及び上記装置識別情報が上記管理装置において互いに関連付けられて登録されたことを示す登録完了情報を受信する受信ステップと、
上記送信ステップで少なくとも上記装置識別情報を送信する際に、上記装置識別情報を装置識別情報記憶手段に記憶する装置識別情報記憶ステップと、
上記装置識別情報記憶手段に上記装置識別情報が記憶されていない場合に、宣伝情報記憶手段に記憶されている、上記管理装置に関連するサービスの宣伝情報を再生する再生ステップと
を実行させることを特徴とする情報処理プログラム。
【発明の詳細な説明】
【技術分野】
【０００１】
本発明は情報処理装置に関し、特にサービスの宣伝情報を提供する情報処理装置に適用して好適なものである。
【背景技術】
【０００２】
現在、インターネット上では、音楽に関する様々なサービスが行われている。例えば、市販されているＣＤ（Compact Disc）の楽曲情報及び音声データ等を配信するサービスや、ラジオ番組で現在放送している楽曲名称、演奏者名、楽曲が録音されているＣＤの名称及び番号といった楽曲の関連情報（ＮｏｗＯｎＡｉｒ：ナウオンエアー）を提供するサービスが行われている。また、楽曲のディジタルデータを配信するサービスや、ＣＤの通信販売のための注文受け付け等をするサービスも行われている。このようなサービスはネットワークサービスとも呼ばれる。
【０００３】
そして、これらのサービスを受信できる（すなわち利用できる）、例えばオーディオ機器である情報処理装置がある。ユーザは、このような情報処理装置から、サービスを提供する、例えばサーバである管理装置にユーザ登録をすることによって、サービスを利用することができるようになる。ここでは、このようなサービスを利用するためにユーザ登録することをサービス登録するともいう。
【０００４】
また管理装置は、サービス登録をしていないユーザ（情報処理装置）に対して、実際にどのようなサービスを提供しているのかを伝えて、サービス登録を促すために、サービスの宣伝情報を送信することが望ましい。
【０００５】
そこで、コストをできるだけかけることなく、より効果的なデモンストレーションを行い得るようにした記録媒体が提案されている。この記録媒体には、デモンストレーション用であることを示す識別情報が記録されている。そして、例えば、この記録媒体をビデオカメラに装填することにより、このビデオカメラが記録媒体に記録されている識別情報を識別して、デモモードとしての動作に移行するようになされている（例えば、特許文献１参照）。
【特許文献１】特開２００１−２０３９６３公報（段落番号〔０１６１〕〜〔０１６４〕、図１４）
【発明の開示】
【発明が解決しようとする課題】
【０００６】
しかしながら、このような記録媒体では、装填先の機器を、デモモードに移行させるだけであり、例えばユーザが、上述のようなサービスにサービス登録しているか否かを判別することはできず、このため、サービス登録していないユーザに対して、サービスの宣伝情報を提供することが困難であるという問題があった。
【０００７】
また、上述のようなサービスの宣伝情報の提供は、情報処理装置が、インターネットに接続されていることを前提にしているため、インターネットに接続されていない情報処理装置が、管理装置からサービスの宣伝情報を受信することは困難であるという問題があった。
【０００８】
本発明は以上の点を考慮してなされたもので、ネットワークに接続されているか否かに依らず、サービスへの登録がなされていない場合に、サービスの宣伝情報を容易に提供し得る情報処理装置を提案しようとするものである。
【課題を解決するための手段】
【０００９】
かかる課題を解決するため本発明の情報処理装置においては、ユーザを識別するためのユーザ識別情報及びパスワードと、情報処理装置を識別するための装置識別情報とを、当該情報処理装置を管理する管理装置に送信する送信手段と、ユーザ識別情報、パスワード、及び装置識別情報が管理装置において互いに関連付けられて登録されたことを示す登録完了情報を受信する受信手段と、少なくとも装置識別情報を送信する際に、装置識別情報を記憶する装置識別情報記憶手段と、管理装置に関連するサービスの宣伝情報を記憶する宣伝情報記憶手段と、装置識別情報記憶手段に装置識別情報が記憶されていなければ、宣伝情報記憶手段に記憶されている宣伝情報を再生する再生手段とを設けるようにした。
【００１０】
このように、この情報処理装置では、少なくとも装置識別情報を送信する際に、装置識別情報を装置識別情報記憶手段に記憶しておくようにしたことにより、ユーザ識別情報、パスワード、及び装置識別情報が管理装置に登録されているか否か、すなわちサービスへの登録がなされているか否かを、装置識別情報が装置識別情報記憶手段に記憶されているか否かで判断することができる。
【００１１】
またこの情報処理装置では、サービスの宣伝情報を、予め宣伝情報記憶手段に記憶しておくようにしたことにより、情報処理装置がネットワークに接続されているか否かに依らず、情報処理装置単体でサービスの宣伝情報を提供することができる。
【発明の効果】
【００１２】
本発明によれば、少なくとも装置識別情報を送信する際に、装置識別情報を装置識別情報記憶手段に記憶しておくようにしたことにより、ユーザ識別情報、パスワード、及び装置識別情報が管理装置に登録されているか否か、すなわちサービスへの登録がなされているか否かを、装置識別情報が装置識別情報記憶手段に記憶されているか否かで判断することができると共に、サービスの宣伝情報を、予め宣伝情報記憶手段に記憶しておくようにしたことにより、情報処理装置がネットワークに接続されているか否かに依らず、情報処理装置単体でサービスの宣伝情報を提供することができるので、ネットワークに接続されているか否かに依らず、サービスへの登録がなされていない場合に、サービスの宣伝情報を容易に提供し得る情報処理装置を実現することができる。
【発明を実施するための最良の形態】
【００１３】
以下、図面について、本発明の実施の形態を詳述する。
【００１４】
（１）本発明の原理
以下、本発明の原理を図面を参照して詳細に説明する。図１は、本発明の原理を説明する原理図である。図１に示すように、情報処理装置１は、送信手段２、受信手段３、記憶手段４、及び再生手段６を有している。情報処理装置１と情報処理装置１を管理する管理装置７は例えばネットワーク（図示せず）を介して接続され、通信することができるようになされている。また、この管理装置７は、情報処理装置１に対してサービスを提供することができるようにもなされている。
【００１５】
送信手段２は、ユーザを識別するためのユーザ識別情報及びパスワードと、情報処理装置１を識別するための装置識別情報とを、管理装置７に送信する。受信手段３は、ユーザ識別情報、パスワード、及び装置識別情報が管理装置７において互いに関連付けられて登録されたこと（すなわちサービス登録されたこと）を示す登録完了情報を受信する。
【００１６】
記憶手段４は、送信手段２によって送信された装置識別情報を装置識別情報記憶手段としての記憶媒体５に記憶する。また、この記憶媒体５は、宣伝情報記憶手段でもあり、管理装置７が提供するサービスの宣伝情報を予め記憶している。再生手段６は、記憶手段４によって装置識別情報が記憶媒体５に記憶されていないときは、記憶媒体５からこの宣伝情報を読み出して再生する。
【００１７】
ここで、原理図の動作について説明する。ユーザは、サービス登録するとき、ユーザ識別情報、パスワード、及び装置識別情報を情報処理装置１に入力する。送信手段２は、ユーザ識別情報、パスワード、及び装置識別情報を管理装置７に送信する。受信手段３は、管理装置７からユーザ識別情報、パスワード、及び装置識別情報が互いに関連付けられて登録されたことを示す登録完了情報を受信する。記憶手段４は、送信手段２によって送信された装置識別情報を記憶媒体５に記憶する。よって、ユーザが管理装置７に対して、サービス登録したときのみ、記憶媒体５に装置識別情報が記憶され、ユーザがサービス登録していないときには、記憶媒体５に装置識別情報が記憶されない。
【００１８】
再生手段６は、記憶手段４によって装置識別情報が記憶されていないときは、記憶媒体５に記憶されているサービスの宣伝情報を読み出して再生する。
【００１９】
このように装置識別情報が記憶されていないとき、すなわちユーザが管理装置７に対してサービス登録していないとき、情報処理装置１は、記憶媒体５に予め記憶されているサービスの宣伝情報を読み出して再生する。よって、ユーザがサービス登録をしているか否かは、装置識別情報が記憶媒体５に記憶されているか否かで判断でき、またネットワークに接続されているか否かに依らず、サービスの宣伝情報をユーザに提供することができる。
【００２０】
（２）第１の実施の形態
次に、本発明の第１の実施の形態を詳述する。なお、以下の説明では、楽曲または楽曲集合に関する関連情報を保存する処理を、クリップと呼ぶこととする。
【００２１】
図２は、本発明の第１の実施の形態におけるネットワークシステムを示す図である。端末装置１０は、ネットワーク３０を介して各種サーバに接続される。ネットワーク３０は、例えばインターネットである。サーバとしては、ＣＤタイトル情報提供サーバ３１、放送局サーバ３２、音楽配信サーバ３３、ＣＤショップサーバ３４、総合サービスサーバ３５等がある。
【００２２】
ＣＤタイトル情報提供サーバ３１は、市販されているＣＤの楽曲情報の配信サービスを行う。放送局サーバ３２は、ＦＭ放送やテレビ（ＴＶ）放送等の放送局が管理するサーバであり、放送する楽曲の関連情報の提供サービスを行う。
【００２３】
この放送局サーバ３２により提供される関連情報の提供機能は、大別して次の２つに分かれる。第１の機能は、現在放送中の番組のナウオンエアーを提供する機能である。第２の機能は、端末装置１０からの要求に応じて、既に放送した楽曲の関連情報（ＯｎＡｉｒＬｉｓｔ：オンエアーリスト）を提供する機能である（オンエアーリストには、各楽曲の関連情報も含まれる）。例えば、放送局サーバ３２は、指定された番組内で放送した楽曲の関連情報を提供したり、指定された時間帯内に放送した楽曲の関連情報を提供したりする。
【００２４】
音楽配信サーバ３３は、楽曲のディジタルデータ（楽曲データ）を配信するサービスを行うサーバである。例えば、音楽配信サーバ３３は、楽曲の購入手続きを行ったユーザの端末装置１０に対してのみ、楽曲データを提供する。またこの音楽配信サーバ３３は、配信する楽曲の関連情報を提供することもできる。
【００２５】
ＣＤショップサーバ３４は、ＣＤの通信販売のための注文受け付け等を行うサーバである。またこのＣＤショップサーバ３４は、試聴用の音声データ等の配信サービスや、販売しているＣＤに収録された楽曲の関連情報の提供サービスも行う。
【００２６】
総合サービスサーバ３５は、ネットワーク３０を介したサービスの提供窓口（ポータルサイト）として機能し、各種サービスの提供を仲介する。例えば、放送されている楽曲の関連情報の配信元を示す情報（例えば、ＵＲＬ(Uniform Resource Locator)）を、端末装置１０に配信する。
【００２７】
このように、このネットワークシステムでは、複数のサーバが、ネットワーク３０上の楽曲または楽曲集合に関する情報の提供サービスを行っている。すなわち、各サーバが、ネットワーク３０上の楽曲または楽曲集合のソースとして機能している。
【００２８】
ここで、音楽配信サーバ３３とＣＤショップサーバ３４は、楽曲購入可能サーバである。従って、ユーザが端末装置１０を操作してこれら楽曲購入可能サーバにアクセスすれば、ネットワーク３０を介して実際に楽曲や楽曲の集合を購入できる。つまり、端末装置１０のユーザは、音楽配信サーバ３３に対して購入手続きを行うことで、音楽配信サーバ３３から楽曲データをダウンロードできる。また端末装置１０のユーザは、ＣＤショップサーバ３４に対して購入手続きを行うことで、自宅にＣＤを宅配してもらうことができる。
【００２９】
端末装置１０は、ＣＤ２９ａ、ＭＤ(Mini Disc)２９ｂ、ハードディスクドライブ（ＨＤＤ）２１等の記録媒体に、ローカル上の楽曲または楽曲の集合のソースを保持している。このうちＣＤ２９ａとＭＤ２９ｂは、可搬型の記録媒体であり、端末装置１０に対して容易に着脱できる。ちなみに、端末装置１０に対してどのようなローカルソースが用意されるかは、端末装置１０の種類、目的により異なる。
【００３０】
ここで図２に示したローカル上の楽曲または楽曲集合のソースは一例である。すなわち端末装置１０のローカルに存在する記録媒体であれば、楽曲または楽曲集合を記録することで、ローカル上の楽曲または楽曲の集合のソースとして機能させることができる。
【００３１】
また端末装置１０は、クリップした関連情報を記憶するクリップ情報記憶装置２１ａを有している。クリップ情報記憶装置２１ａは、端末装置１０の二次記憶装置である。例えばＨＤＤ２１の記憶領域の一部を、クリップ情報記憶装置２１ａとして機能させるようにしてもよい。さらにこの端末装置１０は、クリップを楽曲に対しても、楽曲集合に対しても行うことができる。これにより、気になる楽曲が多数含まれたＦＭ番組、ＣＤアルバム等については、まるごとクリップすることで、１回のクリップ動作で、気になる楽曲集合の関連情報を記録することができる。
【００３２】
ところで、この端末装置１０は、楽曲の再生機能を有するオーディオ機器としての機能を兼ね備えている。図３は、端末装置の外観を示す図である。図３に示すように、端末装置１０は、一般的なシステムコンポと同様の外観をなしている。端末装置１０は、装置本体１０ａ、スピーカ２５ａ、２５ｂ、及びリモートコントローラ４０で構成される。装置本体１０ａは、ＣＤやＤＶＤ(Digital Versatile Disc)の再生機能、ＭＤの録音再生機能、及びＦＭ放送やＴＶ放送の受信機能を有している。そして装置本体１０ａで生成した音声信号がスピーカ２５ａ、２５ｂに送られることで、これらスピーカ２５ａ、２５ｂから音声が出力される。
【００３３】
また、装置本体１０ａには、表示装置１７が設けられている。表示装置１７には、再生中の楽曲の関連情報や、クリップによって保存された関連情報等が表示される。リモートコントローラ４０は、装置本体１０ａを遠隔操作するための入力装置である。リモートコントローラ４０には複数の操作キーが設けられている。ユーザによって操作キーが押下されると、赤外線等の無線の通信手段により、押下された操作キーに応じた信号がリモートコントローラ４０から装置本体１０ａに送信される。
【００３４】
操作キーとしては、方向キー４１ａ〜４１ｄ、決定キー４２、ファンクション選択キー４３ａ〜４３ｃ、ツールキー４４、戻るキー４５等がある。方向キー４１ａ〜４１ｄは、例えば、表示装置１７に表示されたカーソルや、フォーカスが当てられる場所を移動させるために使用される。この４つの方向キー４１ａ〜４１ｄは、それぞれ上、下、左、右それぞれの方向に対応しており、押下された方向キーに対応する方向にカーソル等が移動する。
【００３５】
決定キー４２は、例えば、表示装置１７に表示された内容を確定するために使用される。ファンクション選択キー４３ａ〜４３ｃは、機能の選択に使用される。例えば、３つのファンクション選択キー４３ａ〜４３ｃは、それぞれ総合サービス利用機能、チューナ機能、ローカルコンテンツ管理機能に対応付けられている。そして、ファンクション選択キー４３ａ〜４３ｃの何れか１つが押下されると、装置本体１０ａは、押されたファンクション選択キーに対応する機能の動作モードになる。
【００３６】
ツールキー４４は、表示装置１７上にツールメニューを表示させるためのボタンである。ツールメニュー内には、表示装置１７に表示されている内容に応じたコマンドが表示される。ツールメニューからユーザが任意のコマンドを選択し、そのコマンドに応じた処理を端末装置１０に実行させることができる。例えば、ユーザが方向キー４１ａ〜４１ｄを操作して任意のコマンドを選択し、さらに決定キー４２を押下することで、選択されたコマンドに応じた処理が端末装置１０で実行される。
【００３７】
戻るキー４５は、表示装置１７の表示内容を、直前の状態に戻すためのボタンである。なお、リモートコントローラ４０には、図３に示したもの以外にも様々な操作キーを設けるようにしてもよい。例えば、音量調節キー、ＣＤ等の再生キー、停止キーなどである。
【００３８】
次に、端末装置１０の内部構成を説明する。図４は、端末装置１０のハードウェアブロック図である。図４に示すような端末装置１０により、楽曲等の様々なソースを管理、記録、再生が可能となる。ＣＰＵ１１は、起動されたプログラムに基づいて端末装置１０の全体の制御、演算処理を行う。例えば、ネットワーク３０を介した通信動作、ユーザに対する入出力動作、メディアからのコンテンツ再生やクリップ、ＨＤＤ２１へのコンテンツ記憶やそのための管理、クリップ情報等に基づくネットワーク３０を介した情報検索などを行う。ここでこの端末装置１０が対応している記録再生可能なコンテンツデータとしては、オーディオのコンテンツデータや動画のコンテンツデータ等である。ＣＰＵ１１は、バス１２を介して各回路部との間で制御信号やデータのやりとりを行う。
【００３９】
ＲＯＭ(Read Only Memory)１３は、ＣＰＵ１１が実行すべき動作プログラム、プログラムローダー、各種演算係数、及びプログラムで用いるパラメータ等が記憶される。また、ＲＡＭ２０には、ＣＰＵ１１が実行すべきプログラムが展開される。また、このＲＡＭ２０は、ＣＰＵ１１が各種処理を実行する際において必要となるデータ領域、タスク領域としても用いられる。
【００４０】
操作入力部１５は、端末装置１０の筐体に設けられた操作キーやジョグダイヤル、タッチパネルなどの各種操作子などを有する。なお、ＧＵＩ（Graphical User Interface）操作のためのキーボードやマウスが操作入力部１５として設けられてもよい。操作入力部１５で入力された情報は入力処理部１４において所定の処理が施され、ＣＰＵ１１に対して操作コマンドとして伝送される。そしてＣＰＵ１１は入力された操作コマンドに応答した機器としての動作が得られるように、所要の演算や制御を行う。
【００４１】
表示装置１７としては、例えば、液晶ディスプレイなどの表示デバイスが接続され、各種情報表示が行われる。ＣＰＵ１１が各種動作状態や入力状態、通信状態に応じて表示情報を表示処理部１６に供給すると、表示処理部１６は供給された表示データに基づいて表示装置１７に表示動作を実行させる。例えば、表示装置１７には、サーバ等から配信された関連情報の内容や、クリップ情報の内容が表示される。また、ネットワーク３０を介した楽曲の検索が行われた場合、検索結果が表示装置１７に表示される。
【００４２】
メディアドライブ１９ａ、１９ｂは、可搬型の記録媒体に記録された楽曲等のコンテンツを記録、再生（記録媒体によって再生のみの場合もある）することができるドライブである。これらメディアドライブ１９ａ、１９ｂのそれぞれが記録、または再生可能な記録媒体の種類は、１種類とは限らない。すなわち複数種類の記録媒体に対して記録、再生を行うことも可能である。例えば、メディアドライブ１９ａがＣＤ、ＤＶＤの再生を行い、メディアドライブ１９ｂがＭＤの記録再生を行う。
【００４３】
ちなみに、楽曲等のコンテンツを記録する可搬型の記録媒体としては、ＣＤ、ＤＶＤ等の光学的な記録媒体に限定されるものではない。例えばフラッシュメモリなどの半導体メモリにより構成された記録媒体にコンテンツを格納することもできる。その場合、フラッシュメモリのリーダライタがバス１２に接続される。
【００４４】
ユーザは、メディアドライブ１９ａ、１９ｂに、任意のコンテンツが記録された記録媒体（ＣＤ、ＤＶＤ、ＭＤなど）を挿入し、リモートコントローラ４０で所定の操作を行うことにより楽曲等を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
【００４５】
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、デコード処理等が施されたオーディオコンテンツに対して、イコライジング等の音場処理や音量調整、Ｄ／Ａ変換、増幅等の処理が施され、スピーカ部２５から出力される。なお、スピーカ部２５は、図３に示したような複数のスピーカ２５ａ、２５ｂで構成され、ステレオで音声を出力することができる。
【００４６】
また、メディアドライブ１９ａ、１９ｂにて再生されたコンテンツは、ＣＰＵ１１の制御によって、ＨＤＤ２１にオーディオデータファイルとして蓄積することもできる。このオーディオデータファイルの形式としては、ＣＤフォーマットにおけるサンプリング周波数４４．１ＫＨｚで１６ビット量子化のデジタルオーディオデータとしてもよい。また、ＨＤＤ２１の容量を節約するために、所定方式にしたがって圧縮処理が施された形式の圧縮オーディオデータとしてもよい。この場合の圧縮方式としては、例えばＡＴＲＡＣ（Advanced TRansform Acoustic Coding、商標）方式やＭＰ３（MPEG Audio Layer-3）方式等を採用することができる。
【００４７】
チューナ部２７は、例えば、ＡＭ・ＦＭラジオチューナとされ、ＣＰＵ１１の制御に基づいてアンテナ２６で受信された放送信号を復調する。もちろんテレビチューナや衛星放送チューナ、デジタル放送チューナ等としてのチューナでもよい。復調された放送音声信号は、オーディオデータ処理部２４において所要の処理が施され、スピーカ部２５から放送音声として出力される。
【００４８】
通信処理部２２は、ＣＰＵ１１の制御に基づいて送信データのエンコード処理、受信データのデコード処理を行う。ネットワークインタフェース２３は、通信処理部２２でエンコードされた送信データを、ネットワーク３０を介して所定の外部ネットワーク対応機器に送信する。また、ネットワークインタフェース２３は、ネットワーク３０を介して外部ネットワーク対応機器から送信されてきた信号を通信処理部２２に受け渡す。通信処理部２２は、受信した情報をＣＰＵ１１に転送する。ネットワーク３０を介して受信する情報には、例えば、ＦＭラジオ等で放送中の番組の関連情報や、ＣＤ等のタイトルに含まれる楽曲の情報がある。
【００４９】
赤外線通信部２８は、リモートコントローラ４０との間で、赤外線等の無線で通信を行う。そして、赤外線通信部２８は、リモートコントローラ４０から送られてくる信号に所定の処理を施し、ＣＰＵ１１に対して操作コマンドとして伝送する。ＣＰＵ１１は、入力された操作コマンドに応答した機器としての動作が得られるように、所要の演算や制御を行う。
【００５０】
なお、この端末装置１０の構成は、図４の構成に限られるものではなく、さらに多様なものが考えられる。例えばＵＳＢ(Universal Serial Bus)、ＩＥＥＥ１３９４、Ｂｌｕｅｔｏｏｔｈなどの通信方式による周辺機器とのインタフェースが設けられるようにしてもよい。そしてネットワークインタフェース２３によりネットワーク３０を介してダウンロードしたオーディオのコンテンツや、ＵＳＢ、ＩＥＥＥ１３９４などのインタフェースを経由して転送されてきたオーディオのコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が設けられてもよい。また、ＰＣＭＣＩＡスロット、メモリカードスロットなどが設けられ、外部の情報処理装置やオーディオ機器とデータのやりとりが可能とされてもよい。
【００５１】
次に、端末装置１０に実装されるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
【００５２】
図５は、端末装置１０のプログラムモジュール構成を示す図である。この端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、総合サービスサーバ３５、インターネットラジオサーバ３６、その他の各種サーバと通信を行うことができる。
【００５３】
ＨＴＴＰ(Hyper Text Transfer Protocol)メッセージプログラム１１１は、ＣＤタイトル情報提供サーバ３１、放送局サーバ３２、ＣＤショップサーバ３４、および総合サービスサーバ３５等の各種サーバとの間のやりとりをＨＴＴＰ通信で行うものである。コミュニケータプログラム１１２は、総合サービスサーバ３５等と各種通信を行う通信モジュールである。
【００５４】
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局及び再生を行うインターネットラジオ選局再生モジュール１１８が設けられている。著作権保護情報管理モジュール１１４の上位には、楽曲購入及び試聴曲の再生を司る楽曲購入再生モジュール１１９が設けられている。
【００５５】
さらに、これらインターネットラジオ選局再生モジュール１１８、楽曲購入再生モジュール１１９の上位にはＸＭＬ(eXtensible Markup Language)ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は、楽曲購入再生モジュール１１９で購入処理され、ハードディスクコンテンツコントローラ１１７を介してＨＤＤ２１に書き込まれる。
【００５６】
コミュニケータプログラム１１２には、ライブラリ１３０の認証ライブラリ１３１が接続されている。認証ライブラリ１３１は、総合サービスサーバ３５やその他の各種サーバの認証処理を行う。
【００５７】
さらにコミュニケータプログラム１１２の上位には、データベースアクセスモジュール１１５、コンテンツデータアクセスモジュール１１６、及びハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
【００５８】
ハードディスクコンテンツコントローラ１１７の上位には、関連情報表示モジュール１２０、チューナ選局再生／録音モジュール１２１、及び楽曲購入再生モジュール１１９が設けられている。関連情報表示モジュール１２０は、ラジオ局が放送した楽曲のタイトル及びアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
【００５９】
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
【００６０】
関連情報表示モジュール１２０は、チューナ選局再生／録音モジュール１２１によって現在ラジオ局が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
【００６１】
なお、オーディオユーザインタフェース１５２を介して表示装置１７に表示した関連情報は、ライブラリ１３０のクリップライブラリ１３２に一時的に記憶させることができる。また、この関連情報を、ユーザからの指示に従ってデータベースアクセスモジュール１１５を介してＨＤＤ２１へ記憶させることもできる。
【００６２】
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４及びスピーカ部２５を介して出力する。
【００６３】
このような構成のプログラムモジュールを有することにより、端末装置１０は、サーバから関連情報を取得し、その関連情報をクリップすることができる。また、クリップと同時に、楽曲の検索や購入処理を行うこともできる。
【００６４】
次に総合サービスサーバ３５の内部構成を説明する。図６は、総合サービスサーバのハードウェアブロック図である。図６に示す総合サービスサーバ３５は、ＣＰＵ３５ａによって装置全体が制御されている。ＣＰＵ３５ａには、バス３５ｇを介してＲＡＭ３５ｂ、ＨＤＤ３５ｃ、グラフィック処理装置３５ｄ、入力インタフェース３５ｅ、及び通信インタフェース３５ｆが接続されている。
【００６５】
ＲＡＭ３５ｂには、ＣＰＵ３５ａに実行させるＯＳ（Operating System）のプログラムや端末装置１０に各種情報を提供するアプリケーションプログラムの少なくとも一部が一時的に格納される。またこのＲＡＭ３５ｂには、ＣＰＵ３５ａによる処理に必要な各種データが保存される。ＨＤＤ３５ｃには、ＯＳや、各種情報を提供するアプリケーションプログラムなどが格納される。
【００６６】
グラフィック処理装置３５ｄには、モニタ３５ｈが接続されている。グラフィック処理装置３５ｄは、ＣＰＵ３５ａからの命令に従って、画像をモニタ３５ｈの表示画面に表示させる。入力インタフェース３５ｅには、キーボード３５ｉと、マウス３５ｊとが接続されている。入力インタフェース３５ｅは、キーボード３５ｉやマウス３５ｊから送られてくる信号を、バス３５ｇを介してＣＰＵ３５ａに送信する。
【００６７】
通信インタフェース３５ｆは、ネットワーク３０に接続されている。通信インタフェース３５ｆは、ネットワーク３０を介して端末装置１０や、各種サーバと通信を行う。総合サービスサーバ３５は、以上のようなハードウェア構成によって、この第１の実施の形態の処理機能を実現することができる。なお、図６には、総合サービスサーバ３５のハードウェア構成を代表的に説明したが、他のサーバも同様のハードウェア構成で実現することができる。
【００６８】
次に、総合サービスサーバ３５へのサービス登録について説明する。ユーザが各種サーバのサービスを受けるには、総合サービスサーバ３５に対しサービス登録をしなければならない。ユーザは、端末装置１０よりサービス登録に必要な情報を入力して総合サービスサーバ３５に送信し、ユーザＩＤ、パスワードを取得する。このようにしてユーザＩＤ、パスワードを取得したユーザは、端末装置１０に端末ＩＤを入力する。端末ＩＤは、ユーザが複数の端末装置を所有している場合等に、各端末装置を識別するための識別子であり、ユーザによって任意に入力される。この端末ＩＤは、端末装置１０のＣＰＵ１１によって総合サービスサーバ３５に送信されて登録されると共に端末装置１０のＲＯＭ１３またはＨＤＤ２１に記憶される。なお、この端末ＩＤのことを、以下、ニックネームとも呼ぶ。
【００６９】
ここで端末装置１０から総合サービスサーバ３５へのサービス登録処理の流れを、図７を用いて説明する。この図７は、サービス登録処理の流れを示したシーケンス図である。
【００７０】
ステップＳ１において、端末装置１０のＣＰＵ１１は、ユーザの操作によって入力されたユーザＩＤ及びパスワードを登録するために、これらユーザＩＤ及びパスワードをサービス登録情報の一部として総合サービスサーバ３５に送信する。ここで、端末装置１０と総合サービスサーバ３５との通信には、全てＳＳＬ（Secure Socket Layer）を使用しており、これにより第３者への情報の漏洩を防止するようになされている。
【００７１】
ステップＳ１１において、総合サービスサーバ３５のＣＰＵ３５ａは、サービス登録情報の一部としてのユーザＩＤ及びパスワードを受信する。ステップＳ１２において、ＣＰＵ３５ａは、受信したユーザＩＤ及びパスワードと、これらを管理する管理テーブルとを比較し、重複するユーザＩＤが存在しないことを確認すると、当該ユーザＩＤとパスワードとを登録し、その登録が完了したことをユーザＩＤ登録完了情報として端末装置１０に送信する。ここで、ユーザＩＤの重複があった場合、ＣＰＵ３５ａは、別のユーザＩＤの入力を促すメッセージを端末装置１０に送信し、ユーザに再度入力させた別のユーザＩＤ及びパスワードを端末装置１０から送信させる。
【００７２】
ステップＳ２において、端末装置１０のＣＰＵ１１は、受信したユーザＩＤ登録完了情報に応じてユーザＩＤ及びパスワードの登録が完了したことを表示装置１７に表示する。ステップＳ３において、ＣＰＵ１１は、ユーザによる所定の登録操作に基づいて、端末ＩＤ及び公開設定を端末装置１０のＲＯＭ１３またはＨＤＤ２１に記憶する。ここで、公開設定とは、他のユーザに対して当該端末装置１０の存在を公開（例えばネットワーク３０上で公開）するか否かの設定をすることを言う。
【００７３】
ステップＳ４において、ＣＰＵ１１は、端末ＩＤ及び公開設定をサービス登録情報の残りとして総合サービスサーバ３５に送信する。ステップＳ１３において、総合サービスサーバ３５のＣＰＵ３５ａは、端末装置１０から送信されたサービス登録情報の残りとしての端末ＩＤ及び公開設定を受信する。
【００７４】
ステップＳ１４において、ＣＰＵ３５ａは、ユーザＩＤと関連付けて端末ＩＤ及び公開設定を管理テーブルに登録する。ステップＳ１５において、ＣＰＵ３５ａは、端末ＩＤ及び公開設定の登録が完了したことを表す端末ＩＤ登録完了情報を端末装置１０に送信し、総合サービスサーバ３５側のサービス登録における処理を終了する。
【００７５】
ステップＳ５において、端末装置１０のＣＰＵ１１は、総合サービスサーバ３５から端末ＩＤ登録完了情報を受信する。ステップＳ６において、ＣＰＵ１１は、サービス登録情報（ユーザＩＤ、パスワード、端末ＩＤ、及び公開設定）の登録が完了したこと、すなわちサービスを利用するためのサービス登録が完了したことを表示装置１７に表示してユーザに通知し、サービス登録における処理を終了する。
【００７６】
ここで実際上、端末装置１０のＣＰＵ１１は、ユーザから受け付けたユーザＩＤ、パスワードをＲＡＭ２０に記憶しておくようにもなされている。よって、サーバに再度アクセスする必要が生じた場合、例えば、電源が切られることなどによって消去されない限りＲＡＭ２０に記憶されたユーザＩＤ、パスワードが再利用され、入力する手間が省かれる。また端末ＩＤについては、ＲＯＭ１３またはＨＤＤ２１に記憶するので、例えば電源が切られた場合などでも消去されない。
【００７７】
なお、ユーザ（端末装置１０）は、総合サービスサーバ３５によってユーザ認証されるとチケットが発行される。これによって、端末装置１０は、実際にサービスを提供する各種サーバにアクセスすることができる。各種サーバは、例えば、チケットに含まれる認証完了時刻などを参照することにより、端末装置１０のユーザが正規ユーザとして最近（例えば、過去１分以内）認証されたか否かを判断し、認証されていると判断した場合は、端末装置１０からの要求に応じたサービスを行う。
【００７８】
次に、端末装置１０の総合サービスサーバ３５への登録形態について説明する。図８は、端末装置１０の総合サービスサーバ３５への登録形態を示す図である。図８において端末装置１０ａ〜１０ｃは、図３で示した端末装置１０の外観と同様の外観を有し、図４で示した端末装置１０のハードウェアブロックと同様のハードウェアブロックを有するものとする。端末装置１０ａ〜１０ｃは、ユーザＡが所有しているものとする。ユーザＡは、総合サービスサーバ３５にサービス登録すると、ＣＤタイトル情報提供サーバ３１、放送局サーバ３２、音楽配信サーバ３３が提供するサービスを受けることができる。
【００７９】
ここでユーザＡが、総合サービスサーバ３５のサービスを受けている（サービス登録をしている）とする。このときユーザＡは、総合サービスサーバ３５にサービス登録情報として登録したユーザＩＤを所有している。そして端末装置１０ａ〜１０ｃには、それぞれユーザが任意に付けたニックネームＮ１〜Ｎ３（すなわち端末ＩＤ）が付与されている。ニックネームＮ１〜Ｎ３は、端末装置１０ａ〜１０ｃＲＯＭまたはＨＤＤに記憶される。同一ユーザが所有する端末装置では、ニックネーム（端末ＩＤ）をユニークとし、総合サービスサーバ３５のサービスを受けている他のユーザが所有する端末装置ではユニークでなくてもよい。つまり、同一ユーザでなければ、同じニックネームを付与してもよい。こうすることで、ユーザＩＤとニックネームとの組み合わせにより、サービス対象（すなわち端末装置）を決定することができる。これによりサービス登録したユーザＡは、所望の端末装置で、ＣＤタイトル情報提供サーバ３１、放送局サーバ３２、音楽配信サーバ３３が提供するサービスを受けることができる。なお、ニックネームは、１度付けると変更できないようにしてもよい。
【００８０】
つづいて、端末装置１０が有するデモ機能について説明する。このデモ機能とは、まだ総合サービスサーバ３５にサービス登録していないユーザに対して、実際にどのようなサービスを提供しているのかを伝えて、サービス登録を促すための機能であり、実際上、端末装置１０は、このデモ機能により、例えば、実際にどのようなサービスを提供しているのかを伝える画面を、表示装置１７に表示するといったデモを実行することで、ユーザに対してサービス登録を促すようになされている。
【００８１】
この場合、端末装置１０のＣＰＵ１１は、ユーザが総合サービスサーバ３５にサービス登録しているか否かを判断する必要がある。これは、ＲＯＭ１３またはＨＤＤ２１に記憶されるニックネーム（端末ＩＤ）の有無によって判断する。具体的には、ＲＯＭ１３またはＨＤＤ２１にニックネームが記憶されていれば、端末装置１０は、ユーザがサービス登録していると判断して、デモを実行せず、これに対してＲＯＭ１３またはＨＤＤ２１にニックネームが記憶されていなければ、端末装置１０は、ユーザがサービス登録していないと判断して、デモを実行する。
【００８２】
また端末装置１０は、このデモの実行に必要な情報（例えば、デモプログラムや、デモ画面、デモ音声、デモ映像等）を、予めＲＯＭ１３またはＨＤＤ２１に記憶している。これにより、端末装置１０が、ネットワーク３０を介して総合サービスサーバ３５等に接続されていなくとも、端末装置１０単体でデモを実行することができる。
【００８３】
ここで、図９を用いて、端末装置１０によるデモの実行処理を詳述する。この図９は、デモ実行処理の手順を示したフローチャートである。端末装置１０のＣＰＵ１１は、例えば電源投入時、あるいは操作入力部１５を介した手動操作に応じて、デモ実行処理手順ＲＴ１を開始して、ステップＳ２０に移る。このステップＳ２０において、ＣＰＵ１１は、ＲＯＭ１３またはＨＤＤ２１にニックネーム（端末ＩＤ）が記憶されているか否かを判断する。
【００８４】
ここで肯定結果（Ｙｅｓ）を得ると、このことはユーザがサービス登録していることを表しており、このときＣＰＵ１１は、ステップＳ２１に移る。ステップＳ２１において、ＣＰＵ１１は、ユーザＩＤ、パスワードをユーザから受け付け、これらを総合サービスサーバ３５に送信する。すなわち、この場合の端末装置１０は、デモを実行する必要がないと判断して、入力させたユーザＩＤ、パスワードを送信し、このデモ実行処理手順ＲＴ１を終了する。そして、この端末装置１０から送信されたユーザＩＤ及びパスワードが、総合サービスサーバ３５によって認証されれば、実際のサービスの提供が開始される。
【００８５】
これに対して、このステップＳ２０で否定結果（Ｎｏ）を得ると、このことはユーザがサービス登録していないことを表しており、このときＣＰＵ１１は、ステップＳ２２に移る。ステップＳ２２において、ＣＰＵ１１は、図１０に示すように、ＲＯＭ１３またはＨＤＤ２１に記憶されているデモ実行／サービス登録選択画面５０を読み出して表示装置１７に表示し、この画面上で、ユーザに対して、デモを実行するか、サービス登録するかを選択させる。
【００８６】
つまり、このデモ実行／サービス登録選択画面５０は、サービス登録していないユーザに対して、デモを実行するか、サービス登録するかを選択させるための画面であり、デモを実行するためのデモ実行ボタンＢＴ１と、サービス登録するためのサービス登録ボタンＢＴ２とが設けられている。
【００８７】
このようなデモ実行／サービス登録選択画面５０を表示した後、ＣＰＵ１１は、さらにこのステップＳ２２（図９）において、デモ実行／サービス登録選択画面５０のデモ実行ボタンＢＴ１が押下されたか否かを判断する。ここで肯定結果（Ｙｅｓ）を得ると、このことはユーザがデモを見ようとしていることを表しており、このときＣＰＵ１１は、デモを実行するためにステップＳ２３に移る。これに対してこのステップＳ２２で否定結果（Ｎｏ）を得ると、このことはサービス登録ボタンＢＴ２が押下されたこと、すなわちユーザがサービス登録しようとしていることを表しており、このときＣＰＵ１１は、サービス登録するためにステップＳ２５に移る。なお、サービス登録するためには、端末装置１０がネットワーク３０に接続されている必要があるので、ネットワーク３０に接続されていない場合は、例えば、このデモ実行／サービス登録選択画面５０のサービス登録ボタンＢＴ２を非表示にする、あるいはサービス登録ボタンＢＴ２が押下された後に、ネットワーク３０に接続されていない旨を表示装置１７に表示する等して、ネットワーク３０に接続されていないためにサービス登録できない旨をユーザに通知するようにしてもよい。
【００８８】
また、デモ実行／サービス登録選択画面５０には、デモ実行ボタンＢＴ１及びサービス登録ボタンＢＴ２とは別に、この画面を閉じるための閉じるボタンＢＴ３も設けられており、この閉じるボタンＢＴ３が押下された場合、ＣＰＵ１１は、この画面を閉じて、前段のステップＳ２０に戻るようにもなされている。なお、リモートコントローラ４０の戻るキー４５が押下された場合も同様である。
【００８９】
デモを実行するためにステップＳ２３に移ったＣＰＵ１１は、このステップＳ２３において、ＲＯＭ１３またはＨＤＤ２１に記憶されているデモプログラムを読み出し、このデモプログラムに従ってデモを開始（再生）する。
【００９０】
ここで、このデモの一例として、デモ画面を用いたナウオンエアーのオートデモについて説明する。図１１〜１４は、このナウオンエアーのデモ画面を示した図である。このデモ画面は、時間が経過するに従い自動的に変化するものであり、図１１〜図１４の順に変化していく。
【００９１】
デモ開始後、表示装置１７には、まず図１１に示すようなデモ画面５１が表示される。このデモ画面５１には、デモとして、ＴＦＭ局のナウオンエアーが表示されており、番組名、現在流れている楽曲名、歌手名が表示されている。また、例えば、他局のナウオンエアーを選択するための方法も示してある。なお、ここでは、周波数が７６．××ＭＨｚ、番組名が特許カウントダウンジャパン（司会者名○○太郎、△△次郎）、楽曲名がＳｉｇｎ、歌手名が特許三郎となっている。また、リモートコントローラ４０の方向キー４１ａ〜４１ｄと決定キー４２とで他局のナウオンエアーを選択するといった、他局のナウオンエアーの選択方法が示してある。
【００９２】
このデモ画面５１を表示した後、所定時間経過すると、つづいて図１２に示すようなデモ画面５２が自動的に表示される。このデモ画面５２は、デモ画面５１上に新たにポップアップメニュー５２ａが表示された画面となっている。このポップアップメニュー５２ａには、利用できるツールの一覧が表示され、ツールの一つであるクリップに下線が示してある。なお、ここでは、オートデモなので、ポップアップメニュー５２ａが自動的に表示されるが、実際には、リモートコントローラ４０のツールキー４４を押下して、ポップアップメニュー５２ａを表示させ、方向キー４１ａ〜４１ｄでツールの一つを選択することになる。
【００９３】
さらに所定時間経過すると、つづいて図１３に示すようなデモ画面５３が自動的に表示される。このデモ画面５３には、クリップフォルダにクリップされるナウオンエアーが表示される。また、このデモ画面５３には、過去にクリップしたナウオンエアーも表示される。
【００９４】
さらに所定時間経過すると、つづいて図１４に示すようなデモ画面５４が表示される。このデモ画面５４には、クリップフォルダにクリップされたナウオンエアーが表示される。
【００９５】
このようにして、端末装置１０は、ナウオンエアーのデモ画面５１〜５４を自動的に遷移させて、ナウオンエアーの取得から、ナオウオンエアーのクリップまでを容易に行い得る旨をユーザに伝えることにより、サービスの利便性をユーザに認識させて、ユーザにサービス登録を促すようになされている。なお、このステップＳ２３において、ナウオンエアー以外の他のサービスのデモを順に実行するようにしてもよい。
【００９６】
また、このようなデモを実行するために必要なデモプログラムや、デモ画面等を、予めＲＯＭ１３またはＨＤＤ２１に記憶しておくようにしたことにより、端末装置１０が、ネットワーク３０を介して総合サービスサーバ３５等に接続されていなくとも、すなわち実際にサービスを受ける環境下でなくとも、端末装置１０単体でデモを実行することができる。
【００９７】
このようなデモ画面５１〜５４をステップＳ２３で順次自動的に表示した後、ＣＰＵ１１は、次のステップＳ２４に移る。ステップＳ２４において、ＣＰＵ１１は、例えば、図１５に示すように、デモを終了するためのデモ終了ボタンＢＴ４、及びデモを再実行するためのデモ再実行ボタンＢＴ５が設けられたデモ終了／再実行選択画面５５を表示し、この画面上のデモ終了ボタンＢＴ４が押下されたか否かを判断する。
【００９８】
ここで否定結果（Ｎｏ）を得ると、このことは、デモ再実行ボタンＢＴ５が押下されたこと、すなわちユーザが再びデモを見ようとしていることを表しており、このときＣＰＵ１１は、再びステップＳ２３に戻って、上述したナウオンエアーのデモや、あるいは他のサービスのデモを実行する。これに対してこのステップＳ２４で肯定結果（Ｙｅｓ）を得ると、このことはユーザがデモを見ることを止めようとしていることを表しており、このときＣＰＵ１１は、デモを終了して再びステップＳ２２に戻り、デモ実行／サービス登録選択画面５０（図１０）を表示してサービス登録を促す。
【００９９】
このようにしてデモを実行する一方、上述のステップＳ２２（図９）からユーザがサービス登録しようとしていると判断した場合に移るステップＳ２５において、ＣＰＵ１１は、例えば、サービス登録するか否かを確認するためのサービス登録開始ボタン、及びサービス登録中止ボタンが設けられたサービス登録確認画面（図示せず）を表示し、この画面上のサービス登録開始ボタンが押下されたか否かを判断する。
【０１００】
ここで肯定結果（Ｙｅｓ）を得ると、このときＣＰＵ１１は、ステップＳ２６に移り、サービス登録処理を開始する。このサービス登録処理は、図７のシーケンス図を用いて説明したサービス登録処理と同様のものである。そしてサービス登録処理が終了すると、ＣＰＵ１１は、このデモ実行処理手順ＲＴ１を終了する。また、このステップＳ２６で否定結果（Ｎｏ）を得た場合、すなわちサービス登録中止ボタンが押下された場合も、ＣＰＵ１１は、デモ実行処理手順ＲＴ１を終了する。
【０１０１】
このように、端末装置１０では、例えば、デモを見ることでサービスの利便性を認識したユーザが、デモの終了後、つづいてサービス登録手続を行うといった、デモの実行からサービス登録までを一連の処理として実行することができるので、ユーザに対して、デモの鑑賞からサービス登録までをスムーズに行わせることができ、より効果的にサービス登録を促すことができる。
【０１０２】
以上の構成において、この端末装置１０は、サービス登録時に入力されて送信するニックネームをＲＯＭ１３またはＨＤＤ２１に記憶する。これにより、端末装置１０は、ユーザがサービス登録しているか否かを、ニックネームがＲＯＭ１３またはＨＤＤ２１に記憶されているか否かで判断することができる。
【０１０３】
そして、ニックネームがＲＯＭ１３またはＨＤＤ２１に記憶されていない場合に、サービスの宣伝情報となるデモを表示装置１７に表示する。これにより、端末装置１０は、サービス登録していないユーザに対して、サービスの宣伝情報を容易に提供することができる。
【０１０４】
またこの端末装置１０は、サービスの宣伝情報となるデモの実行に必要な情報（例えば、デモプログラムや、デモ画面、デモ音声、デモ映像等）を、予めＲＯＭ１３またはＨＤＤ２１に記憶している。これにより、端末装置１０は、ネットワーク３０を介して総合サービスサーバ３５等に接続されていなくとも、端末装置１０単体でサービスの宣伝情報となるデモをユーザに提供することができる。
【０１０５】
また、このように端末装置１０単体でデモを実行し得ることにより、例えば、販売店等で、端末装置１０を陳列する際、ネットワーク接続する作業工程をなくすことができるので、容易にデモを実行する環境を構築することができ、この結果、販売店等で客としてのユーザがデモを体験する機会が増え、より効果的な宣伝効果を得ることができる。
【０１０６】
以上の構成によれば、端末装置１０は、サービス登録時に、ニックネームを送信する際、このニックネームをＲＯＭ１３またはＨＤＤ２１に記憶しておくようにしたことにより、サービス登録されているか否かを、このニックネームがＲＯＭ１３またはＨＤＤ２１に記憶されているか否かで判断することができ、またサービスの宣伝情報となるデモを、予めＲＯＭ１３またはＨＤＤ２１に記憶しておくようにしたことにより、端末装置１０がネットワーク３０に接続されているか否かに依らず、端末装置１０単体でサービスの宣伝情報を提供することができ、かくしてネットワーク３０に接続されているか否かに依らず、サービス登録されていない場合に、ユーザに対して、サービスの宣伝情報を容易に提供することができる。
【０１０７】
（３）第２の実施の形態
次に、本発明の第２の実施の形態を詳述する。この第２の実施の形態においては、端末装置１０によるデモ実行処理が異なる点以外は、上述の第１の実施の形態と同様であるので、同様部分となる、端末装置１０及び総合サービスサーバ３５の構成や、サービス登録処理手順の説明（図２〜図８）などは省略する。
【０１０８】
従って、ここでは、第２の実施の形態におけるデモ実行処理のみを説明する。図１６に示すように、端末装置１０のＣＰＵ１１は、例えば電源投入時、あるいは操作入力部１５を介した手動操作に応じて、デモ実行処理手順ＲＴ２を開始して、ステップＳ３０に移る。このステップＳ３０において、ＣＰＵ１１は、ＲＯＭ１３またはＨＤＤ２１にニックネーム（端末ＩＤ）が記憶されているか否かを判断する。
【０１０９】
ここで否定結果（Ｎｏ）を得ると、このことはユーザがサービス登録していないことを表しており、このときＣＰＵ１１は、ステップＳ３１に移る。このステップＳＰ３１以降のステップである、ステップＳ３１、Ｓ３２、Ｓ３３、Ｓ３４、Ｓ３５については、第１の実施の形態におけるデモ実行処理手順ＲＴ１のステップＳ２２、Ｓ２３、Ｓ２４、Ｓ２５、Ｓ２６と同様であるので、その説明は省略する。すなわち端末装置１０は、このステップＳ３１以降の処理で、デモの実行からサービス登録までの一連の処理を実行するようになされている。
【０１１０】
これに対して、上述のステップＳ３０で肯定結果（Ｙｅｓ）を得ると、このことはユーザがサービス登録していることを表しており、このときＣＰＵ１１は、ステップＳ３６に移る。ステップＳ３６において、ＣＰＵ１１は、端末装置１０がネットワークインタフェース２３を介してネットワーク３０に接続されているか否かを判断する。
【０１１１】
ここで肯定結果（Ｙｅｓ）を得ると、このことは、ユーザがサービス登録し、かつ端末装置１０がネットワーク３０に接続されていること、すなわち端末装置１０がサービスを受けることのできる状態であることを表しており、このときＣＰＵ１１は、ステップＳ３７に移る。
【０１１２】
ステップＳ３７において、ＣＰＵ１１は、ユーザＩＤ及びパスワードをユーザから受け付け、これらを総合サービスサーバ３５に送信する。このようにして、入力させたユーザＩＤ、パスワードを送信した後、端末装置１０は、このデモ実行処理手順ＲＴ２を終了する。そして、この端末装置１０から送信されたユーザＩＤ及びパスワードが、総合サービスサーバ３５によって認証されれば、実際のサービスの提供が開始される。
【０１１３】
これに対して、上述のステップＳ３６で否定結果（Ｎｏ）を得ると、このことは、ユーザが以前にサービス登録したものの、現在端末装置１０がネットワーク３０に接続されていないこと、すなわち端末装置１０が現在サービスを受けることができない状態であることを表しており、このときＣＰＵ１１は、ステップＳ３８に移る。
【０１１４】
ステップＳ３８において、ＣＰＵ１１は、図１７に示すように、ＲＯＭ１３またはＨＤＤ２１に記憶されているネットワーク接続確認画面６０を読み出して表示装置１７に表示する。このネットワーク接続確認画面６０には、例えば端末装置１０がネットワーク３０に接続されていないので、ネットワーク接続を確認して欲しいといった旨の文字情報が表示されており、これにより、ユーザに対して、ネットワーク接続の確認を促すことができる。
【０１１５】
また、このネットワーク接続確認画面６０には、デモを実行するためのデモ実行ボタンＢＴ１０と、この画面を閉じるための閉じるボタンＢＴ１１とが設けられている。つまり、このデモ実行ボタンＢＴ１０は、ユーザが、現在ネットワーク３０に接続されておらずサービスを受けることができない状態の端末装置１０上で、デモを鑑賞するためのボタンである。また閉じるボタンＢＴ１１は、ユーザが、例えばネットワークケーブルが接続されているかどうかといったネットワーク接続の確認を行うために、一旦このネットワーク接続確認画面６０を閉じてデモ実行処理手順ＲＴ２を終了するためのボタンである。
【０１１６】
このようなネットワーク接続確認画面６０を表示した後、ＣＰＵ１１は、さらにこのステップＳ３８において、ネットワーク接続確認画面６０のデモ実行ボタンＢＴ１０が押下されたか否かを判断する。ここで肯定結果（Ｙｅｓ）を得ると、このことはユーザがデモを見ようとしていることを表しており、このときＣＰＵ１１は、デモを実行するためにステップＳ３９に移る。これに対してこのステップＳ３８で否定結果（Ｎｏ）を得ると、このことは閉じるボタンＢＴ１１が押下されたこと、すなわちユーザが、例えばネットワーク接続を確認しようとして、ネットワーク接続画面６０を閉じようとしていることを表しており、このときＣＰＵ１１は、このネットワーク接続画面６０を閉じてデモ実行処理手順ＲＴ２を終了する。
【０１１７】
デモを実行するためにステップＳ３９に移った場合、ＣＰＵ１１は、このステップＳ３９において、ＲＯＭ１３またはＨＤＤ２１に記憶されているデモプログラムを読み出し、このデモプログラムに従ってデモを開始（再生）する。
【０１１８】
このデモの一例についても、第１の実施の形態と同様であるので、その説明は省略する。またこの場合も、デモを実行するために必要なデモプログラムや、デモ画面等を、予めＲＯＭ１３またはＨＤＤ２１に記憶しておくことは、第１の実施の形態と同様である。
【０１１９】
デモを実行した後、ＣＰＵ１１は、次のステップＳＰ４０に移る。ステップＳＰ４０において、ＣＰＵ１１は、例えば、図１５に示すように、デモを終了するためのデモ終了ボタンＢＴ４、及びデモを再実行するためのデモ再実行ボタンＢＴ５が設けられたデモ終了／再実行選択画面５５を表示し、このうちのデモ終了ボタンＢＴ４が押下されたか否かを判断する。
【０１２０】
ここで否定結果（Ｎｏ）を得ると、このことは、デモ再実行ボタンＢＴ５が押下されたこと、すなわちユーザが再びデモを見ようとしていることを表しており、このときＣＰＵ１１は、再びステップＳ３９に戻って、再度デモを実行する。これに対してこのステップＳ４０で肯定結果（Ｙｅｓ）を得ると、このことはユーザがデモを見ることを止めようとしていることを表しており、このときＣＰＵ１１は、デモを終了して再びステップＳ３８に戻り、ネットワーク接続確認画面６０を表示する。
【０１２１】
このように、この第２の実施の形態における端末装置１０では、サービス登録されていない場合（ニックネームがＲＯＭ１３またはＨＤＤ２１に記憶されていない場合）ばかりでなく、サービス登録されている場合（ニックネームがＲＯＭ１３またはＨＤＤ２１に記憶されている場合）であっても、ネットワーク接続されていない状態であれば、デモを実行し得るようにした。
【０１２２】
これにより、例えば販売店に端末装置１０が陳列される際、一度ネットワーク接続されてサービス登録された端末装置１０が、販売店内での陳列場所変更などによりネットワーク３０から外された場合でも、客であるユーザにデモを鑑賞させることができる。
【０１２３】
実際上、販売店等では、ネットワーク接続し得る陳列場所が限られていることが多く、このようにネットワーク接続されてサービス登録された後に、ネットワーク３０から外されるといった状況が起こり得る可能性が高い。従って、このような状況下では、サービス登録されている場合であっても、ネットワーク接続されていない状態であればデモを実行し得るようにすることが有効であり、このようにすることで、販売店等のように、ネットワークの接続有無が変更されるような状況下で、デモが実行できなくなることを回避することができる。
【０１２４】
（４）第３の実施の形態
次に、本発明の第３の実施の形態を詳述する。この第３の実施の形態においては、端末装置１０によるデモ実行処理が異なる点以外は、上述の第１及び第２の実施の形態と同様であるので、同様部分となる、端末装置１０及び総合サービスサーバ３５の構成や、サービス登録処理手順の説明（図２〜図８）などは省略する。
【０１２５】
従って、ここでは、第３の実施の形態におけるデモ実行処理のみを説明する。図１８に示すように、端末装置１０のＣＰＵ１１は、例えば電源投入時、あるいは操作入力部１５を介した手動操作に応じて、デモ実行処理手順ＲＴ３を開始して、ステップＳ５０に移る。このステップＳ５０において、ＣＰＵ１１は、ＲＯＭ１３またはＨＤＤ２１にニックネーム（端末ＩＤ）が記憶されているか否かを判断する。
【０１２６】
ここで肯定結果（Ｙｅｓ）を得ると、このことはユーザがサービス登録していることを表しており、このときＣＰＵ１１は、ステップＳ５１に移る。ステップＳ５１において、ＣＰＵ１１は、ユーザＩＤ、パスワードをユーザから受け付け、これらを総合サービスサーバ３５に送信する。すなわち、この場合の端末装置１０は、デモを実行する必要がないと判断して、入力させたユーザＩＤ、パスワードを送信し、このデモ実行処理手順ＲＴ３を終了する。そして、この端末装置１０から送信されたユーザＩＤ及びパスワードが、総合サービスサーバ３５によって認証されれば、実際のサービスの提供が開始される。
【０１２７】
これに対して、このステップＳ５０で否定結果（Ｎｏ）を得ると、このことはユーザがサービス登録していないことを表しており、このときＣＰＵ１１は、ステップＳ５２に移る。ステップＳ５２において、ＣＰＵ１１は、ＲＯＭ１３またはＨＤＤ２１に記憶されているデモプログラムを読み出し、このデモプログラムに従ってデモを開始（再生）する。
【０１２８】
このデモの一例についても、第１及び第２の実施の形態と同様であるので、その説明は省略する。またこの場合も、デモを実行するために必要なデモプログラムや、デモ画面等を、予めＲＯＭ１３またはＨＤＤ２１に記憶しておくことは、第１及び第２の実施の形態と同様である。
【０１２９】
ただし、この第３の実施の形態における端末装置１０では、図１９に示すように、ナウオンエアーのデモ画面５１〜５４上（図１９では一例としてデモ画面５１上）に常時、デモの実行からサービス登録に移行するためのサービス登録移行ボタンＢＴ２０と、デモを終了させるためのデモ終了ボタンＢＴ２１とが表示されるようになされている。
【０１３０】
そしてＣＰＵ１１は、デモを開始した後、これらサービス登録移行ボタンＢＴ２０及びデモ終了ボタンＢＴ３０のいずれかが押下されるまで、デモを繰り返し実行し続けるようになされている。つまりこれらサービス登録移行ボタンＢＴ２０及びデモ終了ボタンＢＴ３０が押下されなければ、ＣＰＵ１１は、ナウオンエアーのデモを繰り返し実行し続ける、あるいは他のサービスのデモを連続して実行し続けるようになされている。
【０１３１】
このようにしてステップＳ５２でデモを開始した後、デモ実行中にサービス登録移行ボタンＢＴ２０が押下されると、ＣＰＵ１１は、ステップＳ５３で肯定結果（Ｙｅｓ）を得て、ステップＳ５４に移り、このステップＳ５４においてサービス登録処理を開始する。すなわちＣＰＵ１１は、デモの実行からサービス登録に移行する。この場合のサービス登録処理も、図７のシーケンス図を用いて説明したサービス登録処理と同様であるので、その説明は省略する。そしてサービス登録処理が終了すると、ＣＰＵ１１は、このデモ実行処理手順ＲＴ３を終了する。
【０１３２】
これに対して、デモ実行中にデモ終了ボタンＢＴ３０が押下された場合、ＣＰＵ１１は、ステップＳ５５で肯定結果（Ｙｅｓ）を得て、デモを終了し、このデモ実行処理手順ＲＴ３を終了する。
【０１３３】
このように、この第３の実施の形態における端末装置１０では、サービス登録されていない場合（ニックネームがＲＯＭ１３またはＨＤＤ２１に記憶されていない場合）、自動的にデモを開始し、ユーザによる操作があるまで、デモを繰り返し実行し続けるようにした。
【０１３４】
これにより、例えば販売店に端末装置１０が陳列された際、この端末装置１０の操作方法を何ら知らない客であるユーザに対しても、デモを鑑賞させることができるので、より効果的な宣伝効果を得ることができる。
【０１３５】
（５）第４の実施の形態
次に、本発明の第４の実施の形態を詳述する。この第４の実施の形態においては、デモの実行中ではなく、デモを終了させた後に、サービス登録に移行する点以外は、上述の第３の実施の形態と同様であるので、同様部分の説明は省略する。
【０１３６】
従って、ここでは、第４の実施の形態におけるデモ実行処理のみを説明する。図２０に示すように、端末装置１０のＣＰＵ１１は、例えば電源投入時、あるいは操作入力部１５を介した手動操作に応じて、デモ実行処理手順ＲＴ４を開始して、ステップＳ６０に移る。このステップＳ６０において、ＣＰＵ１１は、ＲＯＭ１３またはＨＤＤ２１にニックネーム（端末ＩＤ）が記憶されているか否かを判断する。
【０１３７】
ここで肯定結果（Ｙｅｓ）を得ると、このことはユーザがサービス登録していることを表しており、このときＣＰＵ１１は、ステップＳ６１に移る。ステップＳ６１において、ＣＰＵ１１は、ユーザＩＤ、パスワードをユーザから受け付け、これらを総合サービスサーバ３５に送信する。すなわち、この場合の端末装置１０は、デモを実行する必要がないと判断して、入力させたユーザＩＤ、パスワードを送信し、このデモ実行処理手順ＲＴ４を終了する。そして、この端末装置１０から送信されたユーザＩＤ及びパスワードが、総合サービスサーバ３５によって認証されれば、実際のサービスの提供が開始される。
【０１３８】
これに対して、このステップＳ６０で否定結果（Ｎｏ）を得ると、このことはユーザがサービス登録していないことを表しており、このときＣＰＵ１１は、ステップＳ６２に移る。ステップＳ６２において、ＣＰＵ１１は、ＲＯＭ１３またはＨＤＤ２１に記憶されているデモプログラムを読み出し、このデモプログラムに従ってデモを開始（再生）する。
【０１３９】
このデモの一例についても、第３の実施の形態と同様であるので、その説明は省略する。またこの場合も、デモを実行するために必要なデモプログラムや、デモ画面等を、予めＲＯＭ１３またはＨＤＤ２１に記憶しておくことは、第３の実施の形態と同様である。
【０１４０】
ただし、この第４の実施の形態における端末装置１０では、図２１に示すように、ナウオンエアーのデモ画面５１〜５４上（図２１では一例としてデモ画面５１上）に常時、デモを終了させるためのデモ終了ボタンＢＴ３０のみが表示されるようになされている。
【０１４１】
そしてＣＰＵ１１は、デモを開始した後、このデモ終了ボタンＢＴ３０が押下されるまで、デモを繰り返し実行し続けるようになされている。つまりこのデモ終了ボタンＢＴ３０が押下されなければ、ＣＰＵ１１は、ナウオンエアーのデモを繰り返し実行し続ける、あるいは他のサービスのデモを連続して実行し続けるようになされている。
【０１４２】
このようにしてステップＳ６２でデモを開始した後、デモ実行中にデモ終了ボタンＢＴ３０が押下されると、ＣＰＵ１１は、ステップＳ６３で肯定結果（Ｙｅｓ）を得て、ステップＳ６４に移る。
【０１４３】
ステップＳ６４において、ＣＰＵ１１は、例えば、サービス登録するか否かを確認するためのサービス登録開始ボタン、及びサービス登録中止ボタンが設けられたサービス登録確認画面（図示せず）を表示し、この画面上のサービス登録開始ボタンが押下されたか否かを判断する。
【０１４４】
ここで肯定結果（Ｙｅｓ）を得ると、このときＣＰＵ１１は、ステップＳ６５に移り、サービス登録処理を開始する。このサービス登録処理も、図７のシーケンス図を用いて説明したサービス登録処理と同様のものであるので、その説明は省略する。そしてサービス登録処理が終了すると、ＣＰＵ１１は、このデモ実行処理手順ＲＴ４を終了する。また、このステップＳ６５で否定結果（Ｎｏ）を得た場合、すなわちサービス登録中止ボタンが押下された場合、ＣＰＵ１１は、サービス登録処理を行うことなく、デモ実行処理手順ＲＴ４を終了する。
【０１４５】
このように、デモの実行中ではなく、デモを終了させた後に、サービス登録に移行するようにしても、第３の実施の形態と同様の効果を得ることができる。
【０１４６】
（６）第５の実施の形態
次に、本発明の第５の実施の形態を詳述する。この第５の実施の形態においては、端末装置１０によるデモ実行処理が異なる点以外は、上述の第１乃至第４の実施の形態と同様であるので、同様部分となる、端末装置１０及び総合サービスサーバ３５の構成や、サービス登録処理手順の説明（図２〜図８）などは省略する。
【０１４７】
従って、ここでは、第５の実施の形態におけるデモ実行処理のみを説明する。図２２に示すように、端末装置１０のＣＰＵ１１は、例えば電源投入時、あるいは操作入力部１５を介した手動操作に応じて、デモ実行処理手順ＲＴ５を開始して、ステップＳ７０に移る。このステップＳ７０において、ＣＰＵ１１は、ＲＯＭ１３またはＨＤＤ２１にニックネーム（端末ＩＤ）が記憶されているか否かを判断する。
【０１４８】
ここで肯定結果（Ｙｅｓ）を得ると、このことはユーザがサービス登録していることを表しており、このときＣＰＵ１１は、ステップＳ７１に移る。ステップＳ７１において、ＣＰＵ１１は、ユーザＩＤ、パスワードをユーザから受け付け、これらを総合サービスサーバ３５に送信する。すなわち、この場合の端末装置１０は、デモを実行する必要がないと判断して、入力させたユーザＩＤ、パスワードを送信し、このデモ実行処理手順ＲＴ５を終了する。そして、この端末装置１０から送信されたユーザＩＤ及びパスワードが、総合サービスサーバ３５によって認証されれば、実際のサービスの提供が開始される。
【０１４９】
これに対して、このステップＳ７０で否定結果（Ｎｏ）を得ると、このことはユーザがサービス登録していないことを表しており、このときＣＰＵ１１は、ステップＳ７２に移る。ステップＳ７２において、ＣＰＵ１１は、端末装置１０がネットワークインタフェース２３を介してネットワーク３０に接続されているか否かを判断する。
【０１５０】
ここで否定結果（Ｎｏ）を得ると、このことは、ユーザがサービス登録しておらず、かつ端末装置１０がネットワーク３０にも接続されていないことを表しており、このときＣＰＵ１１は、ステップＳ７３に移る。このステップＳ７３以降のステップである、ステップＳ７３、Ｓ７４、Ｓ７５については、第２の実施の形態におけるデモ実行処理手順ＲＴ２のステップＳ３８、Ｓ３９、Ｓ４０と同様であるので、その説明は省略する。すなわちＣＰＵ１１は、このステップＳ７３以降の処理で、デモを実行するか否かをユーザに選択させ、デモの実行が選択された場合、ＲＯＭ１３またはＨＤＤ２１に記憶されているデモプログラムを読み出し、このデモプログラムに従ってデモを開始（再生）する。
【０１５１】
これに対して、ステップＳ７２で肯定結果（Ｙｅｓ）を得ると、このことは、ユーザがサービス登録していないものの、端末装置１０がネットワーク３０に接続されていることを表しており、このときＣＰＵ１１は、ステップＳ７６に移る。
【０１５２】
ステップＳ７６において、ＣＰＵ１１は、図１０に示すように、ＲＯＭ１３またはＨＤＤ２１に記憶されているデモ実行／サービス登録選択画面５０を読み出して表示装置１７に表示し、この画面上で、ユーザに対して、デモを実行するか、サービス登録するかを選択させる。
【０１５３】
このようなデモ実行／サービス登録選択画面５０を表示した後、ＣＰＵ１１は、さらにこのステップＳ７６において、デモ実行／サービス登録選択画面５０のデモ実行ボタンＢＴ１が押下されたか否かを判断する。ここで肯定結果（Ｙｅｓ）を得ると、このことはユーザがデモを見ようとしていることを表しており、このときＣＰＵ１１は、デモを実行するためにステップＳ７７に移る。これに対してこのステップＳ７６で否定結果（Ｎｏ）を得ると、このことはサービス登録ボタンＢＴ２が押下されたこと、すなわちユーザがサービス登録しようとしていることを表しており、このときＣＰＵ１１は、サービス登録するためにステップＳ７９に移る。
【０１５４】
また、デモ実行／サービス登録選択画面５０の閉じるボタンＢＴ３が押下された場合、ＣＰＵ１１は、この画面を閉じて、前段のステップＳ７２に戻るようにもなされている。なお、リモートコントローラ４０の戻るキー４５が押下された場合も同様である。
【０１５５】
デモを実行するためにステップＳ７７に移ったＣＰＵ１１は、このステップＳ７７において、ネットワーク３０を介して接続されている総合サービスサーバ３５からデモプログラムをダウンロードし、このデモプログラムに従ってデモを開始（再生）する。
【０１５６】
このデモの一例については、第１乃至第４の実施の形態と同様であるので、その説明は省略する。ただし、この場合、デモを実行するために必要な情報（デモプログラムや、デモ画面、デモ音声、デモ映像等）を、ＲＯＭ１３またはＨＤＤ２１から読み出すのではなく、総合サービスサーバ３５からダウンロードするようになされている。
【０１５７】
デモを実行した後、ＣＰＵ１１は、次のステップＳ７８に移る。ステップＳ７８において、ＣＰＵ１１は、例えば、図１５に示すように、デモを終了するためのデモ終了ボタンＢＴ４、及びデモを再実行するためのデモ再実行ボタンＢＴ５が設けられたデモ終了／再実行選択画面５５を表示し、このうちのデモ終了ボタンＢＴ４が押下されたか否かを判断する。
【０１５８】
ここで否定結果（Ｎｏ）を得ると、このことは、デモ再実行ボタンＢＴ５が押下されたこと、すなわちユーザが再びデモを見ようとしていることを表しており、このときＣＰＵ１１は、再びステップＳ７７に戻って、再度デモを実行する。これに対してこのステップＳ７８で肯定結果（Ｙｅｓ）を得ると、このことはユーザがデモを見ることを止めようとしていることを表しており、このときＣＰＵ１１は、デモを終了して再びステップＳ７６に戻り、デモ実行／サービス登録選択画面５０（図１０）を表示してサービス登録を促す。
【０１５９】
このようにしてデモを実行する一方、上述のステップＳ７６（図９）からユーザがサービス登録しようとしていると判断した場合に移るステップＳ７９において、ＣＰＵ１１は、例えば、サービス登録するか否かを確認するためのサービス登録開始ボタン、及びサービス登録中止ボタンが設けられたサービス登録確認画面（図示せず）を表示し、この画面上のサービス登録開始ボタンが押下されたか否かを判断する。
【０１６０】
ここで肯定結果（Ｙｅｓ）を得ると、このときＣＰＵ１１は、ステップＳ８０に移り、サービス登録処理を開始する。このサービス登録処理は、図７のシーケンス図を用いて説明したサービス登録処理と同様のものであるので、その説明は省略する。そしてサービス登録処理が終了すると、ＣＰＵ１１は、このデモ実行処理手順ＲＴ５を終了する。また、このステップＳ７９で否定結果（Ｎｏ）を得た場合、すなわちサービス登録中止ボタンが押下された場合、ＣＰＵ１１は、サービス登録処理を行うことなく、デモ実行処理手順ＲＴ５を終了する。
【０１６１】
このように、端末装置１０では、ユーザがサービス登録していない場合において、端末装置１０がネットワークに接続されていなければ、自身のＲＯＭ１３またはＨＤＤ２１に記憶されたデモを読み出して実行するようにし、端末装置１０がネットワーク３０に接続されていれば、ネットワーク３０上の総合サービスサーバ３５からデモをダウンロードして実行するようにした。
【０１６２】
これにより、この端末装置１０は、ネットワーク３０に接続されているか否かに依らず、サービスの宣伝情報となるデモをユーザに提供することができると共に、ネットワーク３０に接続されている場合には、総合サービスサーバ３５からダウンロードしたデモを優先的に実行することができるので、そのときどきのネットワーク環境に応じた宣伝情報をユーザに提供することができる。
【０１６３】
（７）他の実施の形態
なお、上述の第１乃至第５の実施の形態においては、それぞれ異なるデモ実行処理手順ＲＴ１〜ＲＴ５を端末装置１０が実行する場合について説明したが、本発明はこれに限らず、例えばデモ実行処理手順ＲＴ１〜ＲＴ５のそれぞれに対応するモードを端末装置１０に設け、このモードを切り換えるようにしてもよい。この場合、端末装置１０の置かれる環境に合わせてこのモードを切り換えるようにすれば、環境に合った宣伝情報の提供方法が実現できる。
【０１６４】
また、上述の第１乃至第５の実施の形態においては、サービスの宣伝情報として、デモ画面が自動的に遷移するようなオートデモをユーザに提供するようにした場合について述べたが、本発明はこれに限らず、例えば、ユーザが端末装置１０を実際に操作して、擬似的にサービスを体験できるようなデモを提供するようにしてもよい。この場合、デモの終了は、ユーザによる終了操作が行われたときとする。
【０１６５】
さらに、このような擬似的にサービスを体験できるようなデモや上述のオートデモに限らず、例えば、デモ画面を複数用意すると共に、それぞれのデモ画面上に次のデモ画面に移るためのボタンを表示し、ユーザの操作により、このボタンが押下されると、紙芝居のようにデモ画面をめくって次のデモ画面に移るといった紙芝居風のデモ等、この他種々のデモをユーザに提供するようにしてもよい。
【０１６６】
さらに、オートデモ、擬似的にサービスを体験できるようなデモ、及び紙芝居風のデモ等の一例として、上述の第１乃至第５の実施の形態においては、放送局サーバ３２による、ナウオンエアーを提供するサービスのオートデモをユーザに提供するようにした場合について述べたが、本発明はこれに限らず、放送局サーバ３２による、オンエアーリストを提供するサービスや、ＣＤタイトル情報提供サーバ３１による、市販されているＣＤの楽曲情報を配信するサービス、音楽配信サーバ３３による、楽曲のディジタルデータ（楽曲データ）を配信するサービス、ＣＤショップサーバ３４による、ＣＤの通信販売のための注文受け付け等を行うサービス、試聴用の音声データ等を配信するサービス、及び販売しているＣＤに収録された楽曲の関連情報を提供するサービス等のデモをユーザに提供するようにしてもよい。
【０１６７】
さらに、上述の第５の実施の形態においては、ネットワーク３０に接続されている場合に、デモ実行／サービス登録選択画面５０をＲＯＭ１３またはＨＤＤ２１から読み出すようにした場合について述べたが、このデモ実行／サービス登録選択画面５０も、総合サービスサーバ３５からダウンロードするようにしてもよい。
【０１６８】
さらに、上述の第１乃至第５の実施の形態における各種処理に関しては、当該各種処理の内容を記述したプログラムによって提供されるようにしてもよい。この場合であっても、そのプログラムをコンピュータで実行することにより、上述した処理機能が当該コンピュータ上で実現される。
【０１６９】
すなわち上述の第１乃至第５の実施の形態における各種処理においては、図４に示したハードウェア構成により実行させることもできるが、ソフトウェアにより実行させることもできる。この場合、プログラムをインストールすることでそのプログラムに応じた処理を実行し得る汎用のパーソナルコンピュータ等に、ソフトウェアを構成するプログラムをネットワークや記録媒体を介してインストールすることにより、上述の各種処理を実行させる。
【０１７０】
さらにこのプログラムは、コンピュータで読み取り可能な記録媒体に記録しておいてもよい。この場合の記録媒体としては、例えば磁気ディスク（ハードディスク、フロッピィ（登録商標）ディスク等）や磁気テープ、光ディスク（ＤＶＤ、ＤＶＤ−ＲＡＭ、ＣＤ−ＲＯＭ、ＣＤ−Ｒ（Recordable）／ＲＷ（ReWritable）等）、光磁気ディスク（ＭＯ（Magneto-Optical disk）等）、半導体メモリ等を用いることができる。
【０１７１】
このプログラムを実行するコンピュータは、例えば、可搬型記録媒体に記録されたプログラムもしくはサーバから転送されたプログラムを、自己の記憶装置に格納する。そしてコンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバからプログラムが転送される毎に、逐次、受け取ったプログラムに従った処理を実行することもできる。
【０１７２】
さらに上述の第１乃至第５の実施の形態においては、端末装置１０が受信可能な放送としてラジオ局から放送されるラジオ放送を適用したが、これに限らず、端末装置１０がインターネットラジオ放送や衛星ラジオ放送を受信して、その関連情報を取得するようにしたり、或いはテレビジョン放送局から放送されるテレビジョン放送を受信し、そのテレビジョン放送のテレビジョン番組に関する各種情報等をネットワーク上のサーバから取得するようにしてもよい。
【０１７３】
さらに上述の第１乃至第５の実施の形態においては、図４に示す各種回路、及び図５に示すプログラムモジュールを端末装置１０に実装した場合について述べたが、本発明はこれに限らず、これらを携帯電話機やパーソナルコンピュータ等、端末装置１０以外の種々の端末に実装するようにしてもよく、これらを実装した端末であれば、上述した端末装置１０と同様の機能を実現することができる。
【０１７４】
さらに上述の第１乃至第５の実施の形態においては、ユーザ識別情報としてのユーザＩＤ及びパスワードと、装置識別情報としての端末ＩＤ（ニックネーム）を管理装置としての総合サービスサーバ３５に送信する送信手段であると共に、これらユーザＩＤ、パスワード、及び端末ＩＤが上記総合サービスサーバ３５に登録されたことを示すユーザＩＤ登録完了情報及び端末ＩＤ登録完了情報を受信する受信手段であるネットワークインタフェース２３及び通信処理部２２や、端末ＩＤを記憶する装置識別情報記憶手段であると共に、サービスの宣伝情報としてのデモを記憶する宣伝情報記憶手段であるＲＯＭ１３及びＨＤＤ２１や、このＲＯＭ１３またはＨＤＤ２１に端末ＩＤが記憶されていない場合に、ＲＯＭ１３またはＨＤＤ２１に記憶されているデモを再生する、あるいは登録画面としてのデモ実行／サービス登録選択画面５０及びサービス登録確認画面を出力する再生手段としてのＣＰＵ１１などによって、情報処理装置としての端末装置１０を構成するようにした場合について述べたが、本発明はこれに限らず、この他種々の構成を用いるようにしてもよい。
【産業上の利用可能性】
【０１７５】
本発明は、ネットワーク上でサービスを提供するシステムにおいて広く利用できる。
【図面の簡単な説明】
【０１７６】
【図１】本発明の原理を示す原理図である。
【図２】第１の実施の形態におけるネットワークシステムを示す略線図である。
【図３】端末装置の外観構成を示す略線図である。
【図４】端末装置の内部構成を示すハードウェアブロック図である。
【図５】端末装置のプログラムモジュール構成を示す略線図である。
【図６】総合サービスサーバの内部構成を示すハードウェアブロック図である。
【図７】サービス登録処理手順を示すシーケンス図である。
【図８】端末装置の総合サービスサーバへの登録形態を示す略線図である。
【図９】第１の実施の形態におけるデモ実行処理手順を示すフローチャートである。
【図１０】デモ実行／サービス登録選択画面を示す略線図である。
【図１１】ナウオンエアーのデモ画面（１）を示す略線図である。
【図１２】ナウオンエアーのデモ画面（２）を示す略線図である。
【図１３】ナウオンエアーのデモ画面（３）を示す略線図である。
【図１４】ナウオンエアーのデモ画面（４）を示す略線図である。
【図１５】デモ終了／再実行選択画面を示す略線図である。
【図１６】第２の実施の形態におけるデモ実行処理手順を示すフローチャートである。
【図１７】ネットワーク接続確認画面を示す略線図である。
【図１８】第３の実施の形態におけるデモ実行処理手順を示すフローチャートである。
【図１９】ナウオンエアーのデモ画面（５）を示す略線図である。
【図２０】第４の実施の形態におけるデモ実行処理手順を示すフローチャートである。
【図２１】ナウオンエアーのデモ画面（６）を示す略線図である。
【図２２】第５の実施の形態におけるデモ実行処理手順を示すフローチャートである。
【符号の説明】
【０１７７】
１……情報処理装置、２……送信手段、３……受信手段、４……記憶手段、５……記憶媒体、６……再生手段、７……情報管理装置、１０、１０ａ〜１０ｃ……端末装置、１１、３５ａ……ＣＰＵ、１２……バス、１３……ＲＯＭ、１４……入力処理部、１５……操作入力部、１６……表示処理部、１７……表示装置、１９ａ、１９ｂ……メディアドライブ、２０……ＲＡＭ、２１……ＨＤＤ、２２……通信処理部、２３……ネットワークインタフェース、２４……オーディオデータ処理部、２５……スピーカ、２８……赤外線通信部、３０……ネットワーク、３１……ＣＤタイトル情報提供サーバ、３２……放送局サーバ、３３……音楽配信サーバ、３４……ＣＤショップサーバ、３５……総合サービスサーバ、４０……リモートコントローラ、４１ａ〜４１ｄ……方向キー、４２……決定キー、４３ａ〜４３ｃ……ファンクション選択キー、４４……ツールキー、４５……戻るキー、５１〜５４……デモ画面。
【図１】
2006221258.tif 000003
【図２】
2006221258.tif 000004
【図５】
2006221258.tif 000005
【図８】
2006221258.tif 000006
【図９】
2006221258.tif 000007
【図１０】
2006221258.tif 000008
【図１１】
2006221258.tif 000009
【図１２】
2006221258.tif 000010
【図１３】
2006221258.tif 000011
【図１４】
2006221258.tif 000012
【図１５】
2006221258.tif 000013
【図１６】
2006221258.tif 000014
【図１７】
2006221258.tif 000015
【図１８】
2006221258.tif 000016
【図１９】
2006221258.tif 000017
【図２０】
2006221258.tif 000018
【図２１】
2006221258.tif 000019
【図２２】
2006221258.tif 000020
【図３】
2006221258.tif 000021
【図４】
2006221258.tif 000022
【図６】
2006221258.tif 000023
【図７】
2006221258.tif 000024